(57)【要約】  【課題】  不透明な外筒体への確認用孔の形成位置及び挿入ガイドリングに施される色彩に工夫を凝らすことにより接続管の挿入後の状態のみならず、挿入途上の状況をも目視で容易に確認でき信頼性の高い差込み式管継手を提供する。  【解決手段】  継手本体１はこれの一端部の内外二重筒体５，６間に接続管Ｐの一端部が挿入される管差込み間隙１５を形成する。内筒体５の第１，２シールリング溝１６ａ，１６ｂに第１，２弾性シールリング２ａ，２ｂが嵌め込まれる。外筒体６の内部に接続管Ｐの外周面に食い込み係合する抜止めリング３が収容される。継手本体１内には挿入ガイドリング４が接続管Ｐの一端部で押されるまま第１，２弾性シールリング２ａ，２ｂと抜止めリング３の間を管差込み間隙１５の内奥へ向けて移動するよう組み込まれる。挿入ガイドリング４には接続管Ｐの色彩とは異なる色彩を施し、外筒体６の円周上の少なくとも１箇所には、抜止めリング３と第１弾性シールリング２ａを目視できる位置に確認用孔２１を設ける。【選択図】      図３
2005048916.tif 000002
【特許請求の範囲】
【請求項１】
継手本体に、第１，２弾性シールリング、抜止めリング、及び挿入ガイドリングを備えており、
前記継手本体はこれの一端部に内外二重筒体を有し、該内外筒体間に接続管の一端部が挿入される管差込み間隙を形成しており、
前記外筒体は不透明であって、この外筒体の内部に前記接続管の外周面に食込み係合する内径部を持つ前記抜止めリングが収容されるとともに、該外筒体の内周に、前記抜止めリングの当接により該抜止めリングに縮径作用を加えるテーパ面が外筒体の開口端に向かって窄まり状に形成されており、
前記内筒体の外周には、第１シールリング溝と第２シールリング溝が軸方向の内方と外方に所定間隔を置いて配列され、この第１，２シールリング溝に、前記接続管の内周面に密着する前記第１，２弾性シールリングがそれぞれ嵌め込まれており、
前記挿入ガイドリングは、前記接続管の一端部で押されるに伴い前記第１，２弾性シールリングを前記第１，２シールリング溝内に押し込みながら該第１，２弾性シールリングと前記抜止めリングの間を前記管差込み間隙の内奥へ向けて移動するよう継手本体内に組み込まれている、差込み式管継手において、
前記挿入ガイドリングには前記接続管の外表面の色彩とは異なる着色を施すとともに、前記外筒体の円周上の少なくとも１箇所には、前記抜止めリングと第１弾性シールリングを外部から目視できる位置に、もしくは当該位置から軸方向内方に及ぶ位置に確認用孔を設けてあることを特徴とする、差込み式管継手。
【請求項２】
前記外筒体が、前記継手本体とは別体に形成され、該継手本体に着脱可能にねじ込み結合されている、請求項１記載の差込み式管継手。
【発明の詳細な説明】
【技術分野】
【０００１】
本発明は、給湯・給水配管等に用いられ、接続管の一端部を挿入するだけでシール状にかつ抜止め状に接続できる差込み式管継手に係り、より詳しくは接続管の挿入途上及び挿入後の状態を確認用孔から目視で確認できるようにした差込み式管継手に関する。
【背景技術】
【０００２】
この種の差込み式管継手として、図５に示すように、継手本体３０はこれの一端部に内外二重筒体３１，３２をこれら内外筒体３１，３２間に接続管Ｐの一端部が挿入される管差込み間隙３３を形成するよう形成し、内筒体３１の外周にはシールリング溝３４を形成し、このシールリング溝３４に、接続管Ｐの内周面に密着する弾性シールリング３５が嵌め込み、外筒体３２の内周に接続管Ｐの外周面を押圧する抜止めリング３６を収容し、内筒体３１の外周に弾性シールリング３５を覆うことのできる挿入ガイドリング３７を外嵌し、該挿入ガイドリング３７は接続管Ｐを管差込み間隙３３に挿入すると、接続管Ｐの内周面と内筒体３１の外周面に挟圧された状態で、弾性シールリング３５の外周面を均一に押圧しながら内筒体３１をスライドするようにし、不透明な外筒体３２の後端寄り部には接続管Ｐが管差込み間隙３３の奥まで挿入されたことを確認するための確認用孔３８を設けたものがある（例えば、特許文献１参照。）。
【０００３】
【特許文献１】特開２００１−１２４２５８号公報
【発明の開示】
【発明が解決しようとする課題】
【０００４】
しかるに、不透明な外筒体３２の後端寄り部に確認用孔３８を設けた上記差込み式管継手では、接続管Ｐの挿入後における管端の位置を確認できるだけで、接続管Ｐの挿入途上における状態、即ち接続管Ｐの管端が抜止めリング３６の内部や弾性シールリング３５の外周を正常に通過しているか否か等を確認することができないため、その良否を判定することができず、信頼性に欠ける憂いがあった。
本発明の目的は、このような問題を解決するためになされたもので、不透明な外筒体への確認用孔の形成位置及び挿入ガイドリングに施される色彩に工夫を凝らすことにより接続管の挿入後の状態のみならず、挿入途上の状況をも目視で容易に確認でき信頼性の高い施工を可能にする差込み式管継手を提供することにある。
【課題を解決するための手段】
【０００５】
本発明の差込み式管継手は、継手本体に、弾性シールリング、抜止めリング、及び挿入ガイドリングを備える。前記継手本体はこれの一端部に内外二重筒体を有し、該内外筒体間に接続管の一端部が挿入される管差込み間隙を形成している。前記外筒体は不透明であって、この外筒体の内部に前記接続管の外周面に食込み係合する内径部を持つ前記抜止めリングが収容されるとともに、該外筒体の内周に、前記抜止めリングの当接により該抜止めリングに縮径作用を加えるテーパ面が外筒体の開口端に向かって窄まり状に形成されている。前記内筒体の外周には、第１シールリング溝と第２シールリング溝が軸方向の内方と外方に所定間隔を置いて配列され、この第１，２シールリング溝に、前記接続管の内周面に密着する前記第１，２弾性シールリングがそれぞれ嵌め込まれている。前記挿入ガイドリングは、前記接続管の一端部で押されるに伴い前記第１，２弾性シールリングを前記第１，２シールリング溝内に押し込みながら該第１，２弾性シールリングと前記抜止めリングの間を前記管差込み間隙の内奥へ向けて移動するよう継手本体内に組み込まれている。
前記挿入ガイドリングには前記接続管の外表面の色彩とは異なる着色を施すとともに、前記外筒体の円周上の少なくとも１箇所には、前記抜止めリングと第１弾性シールリングを外部から目視できる位置に、もしくは当該位置から軸方向内方に及ぶ位置に確認用孔を設けてある。
【０００６】
この場合において、前記外筒体は、前記継手本体とは別体に形成して該継手本体に着脱可能にねじ込み結合することができる。
【発明の効果】
【０００７】
本発明の上記構成の差込み式管継手によれば、接続管の一端部を管差込み間隙内に挿入するに伴い、挿入ガイドリングが第１，２弾性シールリングと抜止めリングの間を管差込み間隙の内奥へ向けて押し込まれることにより第１，２弾性シールリングを圧縮しながら内筒体の第１，２シールリング溝内に押し込めるため、予め接続管の一端部の内周を面取り加工していなくても該接続管は第１，２弾性シールリングに突っ掛かることなくスムーズに挿入される。
かかる挿入ガイドリング及び接続管が抜止めリングと第１弾性シールリングの間を通過する状況は、確認用孔が抜止めリング及び第１弾性シールリングを外部から目視できる位置に設けられ、しかも挿入ガイドリングが接続管とは異なる色彩が施されて該接続管と識別しやすいため、その確認用孔から目視で容易に確認することができる。したがって、たとえば、接続管が斜めに誤挿入されて挿入ガイドリングを正常に押していなかったり、挿入ガイドリングが抜止めリングと第１弾性シールリングの間を正常に通過していなかったりする等の不具合を逸速く発見できるため、直ぐに接続管の挿入を止めて挿入し直すことができる。
【０００８】
接続管の一端部を管差込み間隙の奥まで挿入すると、第１，２弾性シールリングにて接続管の内周面と内筒体の外周面との間がシールされて漏水を防止できるとともに、抜止めリングの内径部が接続管の外周面に食い込み係合して接続管が管差込み間隙から抜け出るのを防止できる。
接続管の一端部が第１弾性シールリングを通過した後の状態、つまり挿入後の状態は、該第１弾性シールリングが接続管により覆われて確認用孔から見えないことを見分けることでもって確認することができる。したがって、漏水の原因となる接続管Ｐの挿入不足や挿入不良等を防止できる。
【０００９】
外筒体の内周に、前記抜止めリングの当接により該抜止めリングに縮径作用を加えるテーパ面を外筒体の開口端に向かって窄まり状に形成しているので、接続管の挿入後に該接続管を抜き出し方向に引っ張ると、接続管と同行する抜止めリングが外筒体のテーパ面と当接することにより縮径し、この縮径により接続管の外周面への食込みを増すため接続管の確実な引抜き阻止力が得られる。これにより接続管が抜けないことを確認できる。
【発明を実施するための最良の形態】
【００１０】
本発明の好適な実施形態を図面に基づき説明する。図１は一実施例の差込み式管継手を接続管挿入前の状態で示す半欠截断面図、図２は図１の差込み式管継手を接続管挿入途上の状態で示す半欠截断面図、図３は図１の差込み式管継手を接続管挿入後の状態で示す半欠截断面図である。
【００１１】
図１において、差込み式管継手は、継手本体１に、第１，２弾性シールリング２ａ，２ｂ、抜止めリング３、及び挿入ガイドリング４を備える。
【００１２】
継手本体１は青銅鋳物等で筒状に形成されており、その軸心方向一端部に内外二重筒体５，６を有する構造としてある。そのうち、内筒体５は継手本体１と一体に形成されるが、外筒体６は、継手本体１とは別体に不透明な樹脂で成形されて、その一端部内周に、継手本体１の外周に設けた雄ねじ７にねじ込まれる雌ねじ８を設けている。なお、継手本体１の軸心方向他端部の外周には雄ねじ９を切っており、この雄ねじ９には、図示しない雌ねじ付きの水栓やエルボなどがねじ込み接続される。
【００１３】
外筒体６はこれの一端部の雌ねじ８を継手本体１の雄ねじ７にねじ込み結合することによって内筒体５の外周との間に、ポリブテンや架橋ポリエチレン等樹脂製又は金属製の接続管Ｐの一端部が差し込まれる管差込み間隙１５が形成される。
【００１４】
抜止めリング３はステンレス等の線材からなるものであって、これの内径部には管差込み間隙１５内に差し込まれる接続管Ｐの外周面に食い込む食込み歯１１を設けており、抜止めリング３の円周一部は切離されて抜止めリング３全体が拡縮径変形可能に形成されている。
【００１５】
この抜止めリング３は外筒体６の内周に設けた抜止めリング収容凹部１８に収容され、この抜止めリング収容凹部１８内の軸方向外方側の内周面には、抜止めリング３に縮径方向の力を作用させるテーパ面１９が外筒体６の開口端に向かい窄まる形状に形成されている。外筒体６の内周に抜止めリング収容凹部１８を設ける手段としては、外筒体６にこれとは別体の透明若しくは半透明な円筒形状のスペーサー２０を内嵌し、このスペーサー２０の軸方向外方端面と外筒体６のテーパ面１９との間に抜止めリング収容凹部１８を形成する。または、そのようなスペーサー２０を用いることなく、外筒体６の内周に抜止めリング収容凹部１８を切削形成することもできる。
【００１６】
内筒体５の前方開口端寄り（軸方向外方端寄り）箇所の外周には、第１シールリング溝１６ａと第２シールリング溝１６ｂが軸方向の内方と外方に所定間隔を置いて配列される。第１シールリング溝１６ａと第２シールリング１６ｂには、接続管Ｐの外径よりも小さく、内径よりも大きい外径を持って接続管Ｐの内周面に密接するＯリング等よりなる第１弾性シールリング２ａと第２弾性シールリング２ｂがそれぞれ嵌め込まれる。この嵌め込みは、外筒体６を継手本体１に結合する前に行うことにより容易に行える。外筒体６は、弾性シールリング２の嵌め込み後に、継手本体１に結合される。
【００１７】
外筒体６の円周上の１箇所または円周方向に所定間隔をおく数箇所には、接続管Ｐの挿入途上及び挿入後の状態を外部から目視で確認できるようにするために、抜止めリング３と第１弾性シールリング２ａを外部から目視できる位置のみに確認用孔２１を設けるか、又は当該位置から軸方向内方向に延びる長孔形状の確認用孔２１を設ける。図１に示す実施例では、長孔形状の確認用孔２１において、図３に示すごとく接続管Ｐの挿入完了後の管端Ｅをも目視できる長さにまで形成している。
【００１８】
挿入ガイドリング４はナイロン等の樹脂成形品であって、接続管Ｐと明瞭に識別し易いように接続管Ｐの色彩とは異なる着色を施してある。例えば、接続管Ｐの色彩が白色系である場合、挿入ガイドリング４には青色、赤色、又は緑色等を施す。そして、挿入ガイドリング４の内径部には前端部から後方に向かって漸次拡開する後方拡開状のテーパ１７ａを、外径部には内径部とは逆に後端部から前方に向かって漸次拡開する前方拡開状のテーパ１７ｂをそれぞれ形成している。この挿入ガイドリング４は、抜止めリング３の内径部に確実に入り込むようにするために、図１に示すごとく当初からその前端部が抜止めリング３の内径部に入りかけるか又は入り込んでいる状態に組み込まれる。
【００１９】
次に、上記構成の差込み式管継手の使用態様を説明する。現場施工において、先ず、樹脂製の接続管Ｐは所要長さに切断される。この切断された接続管Ｐの一端部は、図２に示すように、内外筒体５，６間の管差込み間隙１５内に挿入され、この接続管Ｐの一端部で挿入ガイドリング４がこれの前方から押されて管差込み間隙１５の内奥方向へ押し込まれる。この押し込まれる挿入ガイドリング４は、外径部のテーパ１７ｂで抜止めリング３を押し開いて拡径させるとともに、内径部のテーパ１７ａで内筒体５の第１，２シールリング溝１６ａ，１６ｂからそれぞれ突出している第１，２弾性シールリング２ａ，２ｂを圧縮させて第１，２シールリング溝１６ａ，１６ｂ内に押し込みながら通過する。このように挿入ガイドリング４のテーパ１７ａが第１，２シールリング溝１６ａ，１６ｂから突出している第１，２弾性シールリング２ａ，２ｂの外周部に当接し該リング２ａ，２ｂを圧縮させてシールリング溝１６ａ，１６ｂ内に押し込みながら通過することにより、予め接続管Ｐの一端部の内周を面取り加工していなくても該接続管Pは弾性シールリング２ａ，２ｂに突っ掛かることなくスムーズに挿入することができる。
【００２０】
このような接続管Ｐの一端部が挿入ガイドリング４を正常に押しているか否か、挿入ガイドリング４及び接続管Ｐが抜止めリング３と第１弾性シールリング２ａの間を正常に通過しているか否かの状況は、確認用孔２１が抜止めリング３及び第１弾性シールリング２ａを外部から目視できる位置に設けられ、しかも挿入ガイドリング４が接続管Ｐとは異なる色彩を施されて接続管Ｐと識別しやすいため、その確認用孔２１から目視で容易に確認することができる。したがって、たとえば、接続管Ｐが斜めに誤挿入されて挿入ガイドリング４が正常に押されていなかったり、挿入ガイドリング４及び接続管Ｐが抜止めリング３と第１弾性シールリング２ａの間を正常に通過しなかったりする等の不具合が生じていると、これを逸速く発見できるため、直ぐに接続管Ｐの挿入を止めて挿入し直すことができる。
【００２１】
図３に示すように、接続管Ｐの一端部が管差込み間隙１５の奥まで挿入されると、弾性シールリング２が接続管Ｐの内周面に圧縮状に密着して接続管Ｐの内周面と内筒体５の外周面との間をシールする状態が得られるとともに、抜止めリング３の食込み歯１１が接続管Ｐの外周面に食い込み係合して接続管Ｐの抜止め状態が得られる。
接続管Ｐの一端部が第１弾性シールリング２ａを通過した挿入後の状態は、第１弾性シールリング２ａが接続管Ｐにより覆われて確認用孔２１から見えないことを見分けることでもって確認することができる。
【００２２】
接続管Ｐの挿入後、該接続管Ｐを抜き出し方向に引っ張ると、接続管Ｐと同行する抜止めリング３の外周面が外筒体６のテーパ面１９と当接することにより、抜止めリング３が縮径して、接続管Ｐの外周面への食込み歯１１の食込みが増す。このように抜止めリング３の接続管Ｐの外周面への食込みを増すことにより、接続管Ｐの管差込み間隙１５からの抜け出しが確実に阻止される。
【００２３】
なお、かかる接続管Ｐの差込み接続状態から該接続管Ｐを継手本体１から取り外す必要があるときには、外筒体６の継手本体１の雄ねじ７との締付けを緩めて外筒体６を継手本体１から取り外すことによって接続管Ｐを継手本体１から取り外すことができる。
【００２４】
図１に示す実施例では、当初から第１弾性シールリング２ａが抜止めリング３よりも軸方向内方に位置するように設定してあるが、これに代えて、図４に示すように、当初から抜止めリング３が第１弾性シールリング２ａよりも軸方向内方に位置するように設定することもできる。
【００２５】
本発明は、上記継手本体１が図示例のソケットタイプ以外に、エルボあるいはＴ型等である場合にも同様に適用できる。
【産業上の利用可能性】
【００２６】
接続管の挿入後の状態のみならずその挿入途上の状況をも確認孔から目視で容易に確認でき、信頼性の高い施工を可能にし、給湯・給水配管等の差込み式管継手に好適に用いられる。
【図面の簡単な説明】
【００２７】
【図１】本発明の一実施例の差込み式管継手を接続管挿入前の状態で示す半欠截断面図である。
【図２】図１の差込み式管継手を接続管挿入途上の状態で示す半欠截断面図である。
【図３】図１の差込み式管継手を接続管挿入後の状態で示す半欠截断面図である。
【図４】他の実施例の差込み式管継手を接続管挿入前の状態で示す半欠截断面図である。
【図５】従来例の差込み式管継手の断面図である。
【符号の説明】
【００２８】
Ｐ  接続管
１  継手本体
２ａ  第１弾性シールリング
２ｂ  第２弾性シールリング
３  抜止めリング
４  挿入ガイドリング
５  内筒体
６  外筒体
１５  管差込み間隙
１６ａ  第１シールリング溝
１６ｂ  第２シールリング溝
１７ａ  挿入ガイドリングの内径部のテーパ
１９  テーパ面
２１  確認用孔
【図１】
2005048916.tif 000003
【図２】
2005048916.tif 000004
【図３】
2005048916.tif 000005
【図４】
2005048916.tif 000006
【図５】
2005048916.tif 000007